(57)【特許請求の範囲】
【請求項１】
車両に搭載されるバッテリと、
前記バッテリの電力を用いて前記車両を走行させる駆動用モータと、
前記車両の外部の充電設備から供給される電力を利用した外部充電によって前記バッテリを充電するための充電装置と、
前記充電設備の利用が有料であることを示す情報を前記充電設備から受信するための受信装置と、
時刻が充電を開始する充電開始時刻に到達するまで待機し、前記充電開始時刻に前記外部充電を開始するタイマー充電制御を実行する制御装置とを備え、
前記制御装置は、前記タイマー充電制御の開始時に前記充電設備から前記情報を受信しない場合には、前記充電開始時刻になる前において前記充電装置と前記充電設備とを最初に電気的に接続して前記充電設備の充電電圧を検出して、前記充電開始時刻に前記外部充電を開始し、前記タイマー充電制御の開始時に前記充電設備から前記情報を受信する場合には、前記充電開始時刻において前記充電装置と前記充電設備とを最初に電気的に接続して前記外部充電を開始する、電動車両。
【発明の詳細な説明】
【技術分野】
【０００１】
本発明は、車両外部の充電設備を利用した車載バッテリの充電が可能な電動車両の制御に関し、特に、有料の充電設備を利用するときの電動車両の制御に関する。
【背景技術】
【０００２】
特開２０１３−２１２０３０号公報（特許文献１）には、ユーザが料金を支払うことによって車両外部の充電設備を用いて車載のバッテリを充電する外部充電が可能となる電動車両が開示される。
【先行技術文献】
【特許文献】
【０００３】
【特許文献１】特開２０１３−２１２０３０号公報
【発明の概要】
【発明が解決しようとする課題】
【０００４】
充電設備を利用した外部充電に課金する課金方法として、たとえば、充電設備と電動車両とが充電ケーブルを介して最初に電気的に接続された状態となる時点から直近の電気的な接続が遮断された状態となる時点までの期間を利用期間として設定され、利用期間に応じた課金が行なわれる場合がある。
【０００５】
しかしながら、このような課金方法においては、たとえば、充電ケーブルが電動車両に接続された時点よりも後に充電を開始するタイマー充電制御を利用する場合には、充電していない期間も利用期間として含められて課金される場合がある。そのため、有料の充電設備を利用する場合に費用が増加する場合がある。これは、充電ケーブルが電動車両に取り付けられたときに電動車両側で充電設備の充電電圧を確認する動作を行なうために充電設備と電動車両とが電気的に接続された状態になるためである。
【０００６】
本発明は、上述した課題を解決するためになされたものであって、有料の充電設備を利用して外部充電を行なう場合に費用の増加を抑制する電動車両を提供することである。
【課題を解決するための手段】
【０００７】
この発明のある局面に係る電動車両は、車両に搭載されるバッテリと、バッテリの電力を用いて車両を走行させる駆動用モータと、車両の外部の充電設備から供給される電力を利用した外部充電によってバッテリを充電するための充電装置と、充電設備の利用が有料であることを示す情報を充電設備から受信するための受信装置と、時刻が充電を開始する充電開始時刻に到達するまで待機し、充電開始時刻に外部充電を開始するタイマー充電制御を実行する制御装置とを備える。制御装置は、タイマー充電制御の開始時に充電設備から情報を受信しない場合には、充電開始時刻になる前において充電装置と充電設備とを最初に電気的に接続して充電設備の充電電圧を検出して、充電開始時刻に外部充電を開始する。制御装置は、タイマー充電制御の開始時に充電設備から情報を受信する場合には、充電開始時刻において充電装置と充電設備とを最初に電気的に接続して外部充電を開始する。
【０００８】
このようにすると、タイマー充電制御の開始時に充電設備から充電設備の利用が有料であることを示す情報を受信する場合には、充電開始時刻において充電装置と充電設備とが最初に電気的に接続されることになるため、充電開始時刻までの期間が課金対象となることを抑制することができる。
【発明の効果】
【０００９】
この発明によると、有料の充電設備を利用して外部充電を行なう場合に費用の増加を抑制する電動車両を提供することができる。
【図面の簡単な説明】
【００１０】
【図１】本実施の形態に係る電動車両の構成と充電設備の構成とを示す概略図である。
【図２】本実施の形態における充電設備の制御装置によって実行される制御処理を示すフローチャートである。
【図３】有料の充電設備を利用する場合の課金対象となる利用期間を説明するためのタイムチャートである。
【図４】本実施の形態に係る電動車両の制御装置によって実行される制御処理を示すフローチャートである。
【図５】本実施の形態に係る電動車両の制御装置の動作を説明するためのタイムチャートである。
【図６】第１の変形例に係る電動車両の制御装置によって実行される制御処理を示すフローチャートである。
【図７】第２の変形例に係る電動車両の制御装置によって実行される制御処理を示すフローチャートである。
【発明を実施するための形態】
【００１１】
以下に、本発明の実施の形態について図面を参照して詳細に説明する。なお、以下図中の同一または相当部分には同一符号を付してその説明は原則的に繰り返さないものとする。
【００１２】
図１は、本実施の形態に係る電動車両１００の構成と充電設備３００の構成とを示す概略図である。図１を参照して、電動車両１００と充電設備３００とは、充電ケーブル４００によって接続される。
【００１３】
充電設備３００は、たとえば、商用電源などの外部電源５００からの電力を、充電ケーブル４００を介して電動車両１００へ供給する。電動車両１００は、制御装置１０２と、充電装置１０４と、バッテリ１０６と、通信装置１０８と、インレット１１０と、電力変換装置１１２と、駆動用モータ１１４とを含む。
【００１４】
制御装置１０２は、充電装置１０４の動作と、通信装置１０８の動作と、電力変換装置１１２の動作とを制御する。
【００１５】
充電装置１０４は、充電設備３００から受ける交流電力をバッテリ１０６に充電可能な直流電力に変換し、バッテリ１０６を充電する。
【００１６】
バッテリ１０６は、蓄電装置であり、再充電可能な直流電源である。バッテリ１０６としては、たとえば、ニッケル水素電池やリチウムイオン電池等の二次電池が用いられる。なお、バッテリ１０６は、二次電池に限らず、再充電可能であって、かつ、直流電圧を生成できるものであればよく、たとえば、キャパシタ等であってもよい。
【００１７】
通信装置１０８は、充電ケーブル４００に内蔵される通信線を経由した有線通信によって充電設備３００の通信装置３０８と互いに信号の授受が可能に構成される。通信装置１０８は、たとえば、充電設備３００の通信装置３０８から充電設備３００が有料の充電設備であることを示す情報を受信する。
【００１８】
インレット１１０は、充電ケーブル４００の一方端に設けられる充電プラグ４０２が取り付け可能な形状を有している。
【００１９】
電力変換装置１１２は、バッテリ１０６の直流電力を交流電力に変換して駆動用モータ１１４に交流電力を供給する。
【００２０】
駆動用モータ１１４は、たとえば、三相交流回転電機である。駆動用モータ１１４は、電力変換装置１１２によって駆動され、駆動輪に駆動力を与える機能を有する。
【００２１】
制御装置１０２は、たとえば、インレット１１０に充電プラグ４０２が接続される場合に、充電設備３００から受ける交流電力を、充電装置１０４を用いてバッテリ１０６に充電可能な直流電力に変換して、バッテリ１０６を充電する外部充電を行なう。
【００２２】
また、制御装置１０２は、ユーザによって充電開始時刻あるいは充電終了時刻等が設定されている場合には、タイマー充電制御を実行する。タイマー充電制御は、充電開始時刻まで待機するとともに（以下、タイマー充電制御時の待機状態をタイマー待機と記載する）、時刻が充電開始時刻に到達する場合に、外部充電を開始する制御である。
【００２３】
充電設備３００は、ユーザーインターフェース３０２と、制御装置３０４と、充電リレー３０６と、通信装置３０８とを含む。
【００２４】
ユーザーインターフェース３０２は、たとえば、タッチパネル等の操作装置と、液晶パネル等の表示装置と、金銭の投入口やプリペイドカードやクレジットカード等のカード読み取り装置等の課金装置（いずれも図示せず）とを含む。
【００２５】
制御装置３０４は、ユーザーインターフェース３０２を構成する電気機器の動作と、充電リレー３０６の動作と、通信装置３０８の動作とを制御する。
【００２６】
充電リレー３０６は、充電ケーブル４００と、外部電源５００との間の電力線に設けられ、充電ケーブル４００と外部電源５００との間を電気的に接続した接続状態（オン状態）と、充電ケーブル４００と外部電源５００との間の電気的な接続を遮断した遮断状態（オフ状態）とのうちのいずれかの状態となる。充電リレー３０６は、制御装置３０４からの制御信号に基づいて接続状態および遮断状態のうちのいずれか一方の状態から他方の状態に切り替える。
【００２７】
通信装置３０８は、充電ケーブル４００に内蔵される通信を経由した有線通信によって電動車両１００の通信装置１０８と互いに信号の授受が可能に構成される。通信装置３０８は、たとえば、電動車両１００の通信装置１０８に対して充電設備３００が有料の充電設備であることを示す情報を送信する。
【００２８】
このような構成を有する充電設備３００において、制御装置３０４は、充電プラグ４０２が電動車両１００のインレット１１０に接続される場合、通信装置３０８を用いて充電設備３００が有料の充電設備である旨を示す情報を電動車両１００の通信装置１０８に送信する。また、制御装置３０４は、充電プラグ４０２が電動車両１００のインレット１１０に接続された状態で、電動車両１００において充電が要求される場合に充電リレー３０６を接続状態にする。あるいは、制御装置３０４は、充電リレー３０６がオン状態である場合において、たとえば、電動車両１００において充電停止が要求される場合、あるいは、ユーザーインターフェース３０２に対してユーザが精算処理を実行するための操作が行なわれることによって精算処理が実行される場合に、充電リレー３０６を遮断状態にする。
【００２９】
さらに、制御装置３０４は、精算処理を実行する場合には、充電プラグ４０２がインレット１１０に接続されてから充電リレー３０６が最初にオン状態にされる時点から直近のオフ状態される時点までの期間を課金対象として特定し、特定された期間の長さに基づいて料金を設定する料金設定処理を実行する。
【００３０】
図２を参照して、充電設備３００の制御装置３０４で実行される制御処理について以下に説明する。
【００３１】
ステップ（以下、ステップをＳと記載する）１００にて、制御装置３０４は、充電ケーブル４００が電動車両１００に接続されたか否かを判定する。制御装置３０４は、たとえば、充電ケーブル４００に内蔵する通信線を経由して電動車両１００から所定の信号を受信した場合に、充電ケーブル４００が電動車両１００に接続されたと判定する。充電ケーブル４００が電動車両１００に接続されたと判定される場合（Ｓ１００にてＹＥＳ）、処理はＳ１０２に移される。
【００３２】
Ｓ１０２にて、制御装置３０４は、充電ケーブル４００に内蔵する通信線を経由して充電設備３００が有料の充電設備であることを示す情報を電動車両１００に送信して、処理をＳ１０４に移す。
【００３３】
Ｓ１０４にて、制御装置３０４は、充電要求があるか否かを判定する。制御装置３０４は、たとえば、電動車両１００から外部充電を開始するための充電要求を示す信号を受信した場合に、充電要求があると判定する。充電要求があると判定される場合（Ｓ１０４にてＹＥＳ）、処理はＳ１０６に移される。
【００３４】
Ｓ１０６にて、制御装置３０４は、タイマー等を用いて時間計測を開始する。Ｓ１０８にて、制御装置３０４は、充電リレー３０６がオフ状態からオン状態になるように充電リレー３０６の動作を制御する。
【００３５】
Ｓ１１０にて、制御装置３０４は、充電停止要求があるか否かを判定する。制御装置３０４は、たとえば、電動車両１００から外部充電を停止するための充電停止要求を示す信号を受信した場合、充電停止要求があると判定する。充電停止要求があると判定される場合（Ｓ１１０にてＹＥＳ）、処理はＳ１１２に移される。
【００３６】
Ｓ１１２にて、制御装置３０４は、充電リレー３０６がオン状態からオフ状態になるように充電リレー３０６の動作を制御する。
【００３７】
Ｓ１１４にて、制御装置３０４は、料金を算出する。具体的には、制御装置３０４は、充電プラグ４０２がインレット１１０に接続されてから最初に充電リレー３０６がオン状態になった時点から直近の充電リレー３０６がオフ状態になった時点までの期間（利用期間）を課金対象として特定し、特定された利用期間の長さに基づいて料金を設定する。制御装置３０４は、たとえば、利用期間に時間当たりの単価を乗算した値を料金として算出してもよい。
【００３８】
Ｓ１１６にて、制御装置３０４は、精算が要求されたか否かを判定する。制御装置３０４は、たとえば、ユーザーインターフェース３０２の操作装置に対して精算を要求するための操作が行なわれた場合に精算が要求されたと判定する。精算が要求されたと判定される場合（Ｓ１１６にてＹＥＳ）、処理はＳ１１８に移される。
【００３９】
Ｓ１１８にて、制御装置３０４は、精算処理を実行する。具体的には、制御装置３０４は、Ｓ１１４にて算出された料金をユーザーインターフェース３０２の表示装置等を用いてユーザに通知する。制御装置３０４は、ユーザーインターフェース３０２の課金装置に対して金銭の投入やカード情報の読み取り等のユーザによる支払い動作が行なわれるまで待機する。制御装置３０４は、ユーザによる支払い動作が行なわれると、所定の完了処理が行なわれて精算処理を完了させる。
【００４０】
なお、制御装置３０４は、たとえば、Ｓ１００にて充電ケーブル４００が接続されないと判定される場合や（Ｓ１００にてＮＯ）、Ｓ１０４にて充電が要求されないと判定される場合には（Ｓ１０４にてＮＯ）、処理をＳ１００に戻す。また、制御装置３０４は、Ｓ１１０にて充電停止要求がないと判定される場合（Ｓ１１０にてＮＯ）、処理をＳ１１０に戻して、充電停止要求があると判定されるまで待機する。
【００４１】
さらに、制御装置３０４は、Ｓ１１６にて、精算が要求されていないと判定される場合（Ｓ１１６にてＮＯ）、Ｓ１２０にて、充電要求があるか否かを判定する。充電要求があると判定される場合には（Ｓ１２０にてＹＥＳ）、処理はＳ１０８に移されて、再び充電リレーがオンされる。Ｓ１２０にて充電要求がないと判定される場合には（Ｓ１２０にてＮＯ）、処理はＳ１１６に移されて、再度ユーザによる精算の要求があるか否かが判定される。
【００４２】
図２に記載の制御処理が実行されることによって充電ケーブル４００が電動車両１００に接続された後において、最初に充電リレー３０６がオン状態となる時点から直近の充電リレー３０６がオフ状態になる時点までの期間を利用期間として課金対象とされる。
【００４３】
しかしながら、このような課金方法で充電設備３００の利用料金が設定されると、充電ケーブル４００が電動車両１００に接続された後にタイマー充電制御が実行される場合には、実際には充電していない期間が利用期間に含められて課金対象となる場合がある。タイマー充電制御とは、充電ケーブル４００が電動車両１００に接続されてから、ユーザあるいは制御装置１０２が設定した充電開始時刻になるまで待機状態となり、時刻が充電開始時刻に到達すると外部充電を行なう制御をいう。
【００４４】
たとえば、図３に示すように、時間Ｔ（０）にて、充電ケーブル４００が電動車両１００に接続された場合を想定する。
【００４５】
このとき、電動車両１００の制御装置１０２は、充電ケーブル４００が電動車両１００に接続されたときに、正確な充電時間を算出するために充電設備３００の充電電圧を確認する場合がある。
【００４６】
具体的には、制御装置１０２は、充電設備３００に対して充電を要求することによって充電リレー３０６をオン状態にして、充電設備３００の充電電圧を検出する。制御装置１０２は、充電電圧の検出後に、充電停止を要求することによって充電リレー３０６をオフ状態にする。制御装置１０２は、検出された充電電圧に基づいて当初の充電開始時刻を修正して、時刻が充電開始時刻になるまで待機状態となる。制御装置１０２は、たとえば、タイマー充電制御を実行する場合には、充電設備の充電電圧が１００Ｖである場合を前提として充電開始時刻を設定する。制御装置１０２は、検出された充電電圧が２００Ｖである場合に、充電電圧が２００Ｖである場合を想定した充電開始時刻を算出することによって、当初の充電開始時刻を修正する。
【００４７】
時間Ｔ（１）にて、時刻が充電開始時刻に到達したことで充電設備３００に対して再度充電が要求されることによって充電リレー３０６が再度オン状態になり、外部充電が開始される。そして、時間Ｔ（２）にて、充電が完了した場合にした場合には、充電設備３００に対して充電停止が要求されることによって充電リレー３０６がオフ状態にされる。この場合には、最初に充電リレー３０６がオン状態される時間Ｔ（０）から最後に充電リレー３０６がオフ状態にされる時間Ｔ（２）までの期間が利用期間として課金対象とされる。すなわち、時間Ｔ（０）から時間Ｔ（１）までの、実際には充電していない期間が利用期間に含められて課金対象となる。
【００４８】
このように実際には充電していない期間も課金対象となることで、有料の充電設備を利用した場合の外部充電に要する費用が増加する場合がある。
【００４９】
そこで、本実施の形態においては、電動車両１００の制御装置１０２が、タイマー充電制御の開始時に充電設備３００から充電設備３００の利用が有料であることを示す情報を受信しない場合には、充電開始時刻になる前において充電装置１０４と充電設備３００とを最初に電気的に接続して充電設備３００の充電電圧を検出して、充電開始時刻に外部充電を開始し、タイマー充電制御の開始時に充電設備３００から当該情報を受信する場合には、充電開始時刻において充電装置１０４と充電設備３００とを最初に電気的に接続して外部充電を開始するものとする。
【００５０】
このようにすると、タイマー充電制御の開始時に充電設備３００から充電設備３００の利用が有料であることを示す情報を受信する場合には、充電開始時刻において充電装置１０４と充電設備３００とが最初に電気的に接続されることになるため、充電開始時刻までの期間が課金対象となることを抑制することができる。
【００５１】
図４を参照して、本実施の形態に係る電動車両１００に搭載された制御装置１０２で実行される制御処理について説明する。
【００５２】
Ｓ２００にて、制御装置１０２は、充電ケーブル４００が電動車両１００に接続されたか否かを判定する。たとえば、充電ケーブル４００の一方端に設けられる充電プラグ４０２がインレット１１０に接続された場合に、充電ケーブル４００が電動車両１００に接続されたと判定する。たとえば、インレット１１０には、充電プラグ４０２が接続されたことを検出するための接続検出回路（図示せず）が設けられており、制御装置１０２は、充電プラグ４０２がインレット１１０に接続されたときに接続検出回路から接続信号を受信する場合に、充電ケーブル４００が電動車両１００に接続されたと判定してもよい。充電ケーブル４００が電動車両１００に接続されたと判定される場合（Ｓ２００にてＹＥＳ）、処理はＳ２０２に移される。
【００５３】
Ｓ２０２にて、制御装置１０２は、充電設備３００が有料の充電設備であるか否かを判定する。制御装置１０２は、充電ケーブル４００に内蔵される通信線を経由して、充電設備３００の制御装置３０４から充電設備３００が有料の充電設備であることを示す情報を受信する場合に、充電設備３００が有料の充電設備であると判定する。なお、制御装置１０２は、たとえば、充電ケーブル４００が電動車両１００に接続されたと判定してから予め定められた時間が経過するまでに充電設備３００から情報を受信しない場合には、充電設備３００が有料の充電設備でないと判定する。
【００５４】
充電設備３００が有料の充電設備であると判定される場合（Ｓ２０２にてＹＥＳ）、処理はＳ２０６に移される。
【００５５】
一方、充電設備３００が有料の充電設備でないと判定される場合（Ｓ２０２にてＮＯ）、処理はＳ２０４に移される。Ｓ２０４にて、制御装置１０２は、充電設備３００から供給される交流電力の充電電圧を確認する。上述したとおり、制御装置１０２は、充電設備３００に対して充電要求を行なうことによって充電リレー３０６をオン状態にする。制御装置１０２は、充電装置１０４に供給される電圧を電圧センサ等を用いて検出する。制御装置１０２は、充電電圧の検出後に充電停止要求を行なうことによって充電リレー３０６をオフ状態にする。制御装置１０２は、検出された充電電圧に基づいて充電開始時刻の修正を行なう。そして、その後処理がＳ２０６に移される。
【００５６】
Ｓ２０６にて、制御装置１０２は、タイマー待機状態になる。Ｓ２０８にて、制御装置１０２は、時刻が充電開始時刻に到達したか否かを判定する。時刻が充電開始時刻に到達したと判定される場合（Ｓ２０８にてＹＥＳ）、処理はＳ２１０に移され、外部充電が実行される。
【００５７】
なお、Ｓ２００にて、充電ケーブル４００が接続されていないと判定される場合には（Ｓ２００にてＮＯ）、処理はＳ２００に戻され、充電ケーブル４００が接続されるまで待機される。また、Ｓ２０８にて、充電開始時刻に到達していない場合（Ｓ２０８にてＮＯ）、処理はＳ２０６に移されてタイマー待機状態が継続される。
【００５８】
以上のような構成およびフローチャートに基づく本実施の形態に係る電動車両１００の制御装置１０２の動作について図５を参照しつつ説明する。
【００５９】
図５に示すように、時間Ｔ（３）にて、充電ケーブル４００が電動車両１００に接続される場合（Ｓ２００にてＹＥＳ）を想定する。このとき、充電設備３００から電動車両１００に対して充電設備３００が有料の充電設備であることを示す情報が充電ケーブル４００を経由して送信される。そのため、電動車両１００の制御装置１０２は、充電設備３００が有料の充電設備であると判定するため（Ｓ２０２にてＹＥＳ）、交流電圧をチェックすることなく、タイマー待機状態になる（Ｓ２０６）。そのため、充電設備３００においては、充電リレー３０６がオンされない。
【００６０】
時間Ｔ（４）にて、時刻が充電開始時刻に到達すると（Ｓ２０８にてＹＥＳ）、外部充電が実行される（Ｓ２１０）。このとき、制御装置１０２は、充電設備３００に対して充電要求を行なう。そのため、充電設備３００においては、充電要求があるため（Ｓ１０４にてＹＥＳ）、時間の計測が開始され（Ｓ１０６）、充電リレー３０６がオン状態にされ（Ｓ１０８）。
【００６１】
時間Ｔ（５）にて、バッテリ１０６のＳＯＣがしきい値を超える等して、時刻が充電終了時刻に到達すると充電装置１０４の動作が停止されるとともに電動車両１００から充電設備３００に対して充電停止が要求される。充電設備３００において、充電停止要求を受けると（Ｓ１１０にてＹＥＳ）、充電リレー３０６がオフ状態にされ（Ｓ１１２）、料金が算出される（Ｓ１１４）。このとき、時間Ｔ（３）から時間Ｔ（４）までの期間は、利用期間に含まれないため、課金非対象の期間となる。一方、時間Ｔ（４）から時間Ｔ（５）までの期間は、最初に充電リレー３０６がオン状態にされた時点から直近の充電リレー３０６がオフ状態にされた時点であるため、利用期間として課金対象の期間となる。その後に、ユーザにより精算が要求されると（Ｓ１１６にてＹＥＳ）、充電設備３００において精算処理が実行される（Ｓ１１８）。
【００６２】
以上のようにして、本実施の形態に係る電動車両１００によると、タイマー充電制御の開始時に充電設備３００から充電設備３００の利用が有料であることを示す情報を受信する場合には、充電開始時刻において充電装置１０４と充電設備３００とが最初に電気的に接続されることになるため、充電開始時刻までの期間が課金対象となることを抑制することができる。したがって、有料の充電設備を利用して外部充電を行なう場合に費用の増加を抑制する電動車両を提供することができる。
【００６３】
以下、変形例について記載する。
上述の実施の形態では、利用期間に単価を乗算して料金を算出する場合を一例として説明したが、たとえば、充電リレー３０６が最初にオン状態にされてから充電停止要求があると判定されるまでの間に、予め定められた時間が経過する毎（たとえば、２０分経過毎、あるいは、３０分経過毎）に予め定められた時間に対応する料金を加算することによって料金を算出してもよい。
【００６４】
上述の実施の形態では、電動車両１００の制御装置１０２は、接続検出回路から充電プラグ４０２がインレット１１０に取り付けられたことを示す信号を受信した場合に、充電ケーブル４００が電動車両１００に接続されたと判定するものとして説明したが、たとえば、電動車両１００の制御装置１０２は、充電ケーブル４００に内蔵される通信線を経由して充電設備３００の通信装置３０８から予め定められた信号を受信した場合に、充電ケーブル４００が電動車両１００が接続されたと判定してもよい。
【００６５】
上述の実施の形態では、電動車両１００の制御装置１０２と、充電設備３００の制御装置３０４とが、充電ケーブル４００に内蔵される通信線を経由した有線通信を行なうものとして説明したが、たとえば、無線通信を行なうようにしてもよい。
【００６６】
さらに、上述の実施の形態では、充電設備３００が有料の充電設備である場合に、交流電圧をチェックすることなく、タイマー待機状態になるものとして説明したが、たとえば、充電設備３００が有料の充電設備である場合に、有料の充電設備の充電電圧が２００Ｖであるものとして、充電電圧をチェックすることなく充電時間を算出してもよい。
【００６７】
以下に、図６を用いて、この変形例における、電動車両１００の制御装置１０２によって実行される制御処理について説明する。
【００６８】
なお、図６のフローチャートに示す処理のうち図４のフローチャートに示す処理と同じ処理については同じステップ番号を付与している。そのため、その処理内容についての詳細は説明は繰り返さない。
【００６９】
Ｓ２０２にて、充電設備３００が有料の充電設備であると判定される場合（Ｓ２０２にてＹＥＳ）、Ｓ３００にて、制御装置１０２は、充電設備３００の充電電圧が２００Ｖであるとして設定する。Ｓ３０２にて、制御装置１０２は、設定された２００Ｖの交流電圧を基準として充電時間および充電開始時刻を算出する。
【００７０】
なお、Ｓ２０２にて、充電設備３００が有料の充電設備でないと判定される場合（Ｓ２０２にてＮＯ）、Ｓ２０４における充電電圧のチェック結果に基づいて充電時間および充電開始時刻を算出する。
【００７１】
このようにすると、充電開始時刻までの期間が課金対象となることを抑制することができるとともに、有料の充電設備を利用する場合に、１００Ｖを前提として充電電圧が設定される場合と比較して充電時間を短くすることができる。
【００７２】
さらに上述の変形例においては、タイマー待機状態になってから充電開始時刻に到達するまでの間、充電電圧のチェックをしないものとして説明したが、たとえば、充電開始時刻に到達したときに充電電圧をチェックするようにしてもよい。
【００７３】
以下、図７を用いて、この変形例における、電動車両１００の制御装置１０２によって実行される制御処理について説明する。
【００７４】
なお、図７のフローチャートに示す処理のうち図６のフローチャートに示す処理と同じ処理については同じステップ番号を付与している。そのため、その処理内容についての詳細な説明は繰り返さない。
【００７５】
Ｓ２０８にて、時刻が充電開始時刻に到達したと判定される場合（Ｓ２０８にてＹＥＳ）、Ｓ４００にて、制御装置１０２は、充電電圧のチェックを行なう。このときの処理は、Ｓ２０４の処理と同様であるため、その詳細な説明は繰り返さない。Ｓ４０２にて、制御装置１０２は、充電時間および充電開始時刻を再度算出する。Ｓ４０４にて、制御装置１０２は、時刻が再度算出された充電開始時刻に到達したか否かを判定する。時刻が再度算出された充電開始時刻に到達したと判定される場合（Ｓ４０４にてＹＥＳ）、処理はＳ２１０に移される。もしそうでない場合（Ｓ４０４にてＮＯ）、処理はＳ２０６に移される。
【００７６】
このようにすると、充電開始時刻までの期間が課金対象となることを抑制することができるとともに、充電電圧に応じた充電時間を精度高く算出することができる。ユーザが使用開始する直前に充電を完了させることができる。
【００７７】
なお、上記した変形例は、その全部または一部を組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１００  電動車両、１０２，３０４  制御装置、１０４  充電装置、１０６  バッテリ、１０８，３０８  通信装置、１１０  インレット、１１２  電力変換装置、１１４  駆動用モータ、３００  充電設備。
【図１】
0006465039.tif 000002
【図２】
0006465039.tif 000003
【図３】
0006465039.tif 000004
【図４】
0006465039.tif 000005
【図５】
0006465039.tif 000006
【図６】
0006465039.tif 000007
【図７】
0006465039.tif 000008